(57)【要約】【課題】  簡単な構成で、塗料などの内容物を上面や側面を汚すことなく、また内容物の全てを完全に注ぎ出すことができるような、塗料などの容器を提供することを目的とする。【解決手段】  塗料などの液状の内容物を収納する容器であって、容器本体の上面部に内容物を注入する開口部を設けるとともに、本体の側面部の上方に、当該内容物を注ぎ出すための開口部を備えるようにする。側面部に設けられた開口部は斜め上方に向かって開口するようにするとよい。また、上面部に内容物を注入する開口部を設けるとともに、容器本体の上面部と側面部とを切り取るように設けた斜面部分に、当該内容物を注ぎ出すための開口部を備えるようにする。さらに直方体の容器本体の上面部の一つの角部分を下向きに切り落とすように形成した側壁部分から外側になだらかに形成した斜面部分に、当該内容物を注ぎ出すための開口部を備えるようにする。【選択図】図１
0003110981.tif 000002
【実用新案登録請求の範囲】
【請求項１】
塗料などの液状の内容物を収納する容器であって、
容器本体の上面部に内容物を注入する開口部を設けるとともに、本体の側面部の上方に、当該内容物を注ぎ出すための開口部を備えることを特徴とする塗料などの容器。
【請求項２】
請求項１に記載の塗料などの容器において、
前記本体の側面部に設けられた開口部は、斜め上方に向かって開口しているものであることを特徴とする塗料などの容器。
【請求項３】
塗料などの液状の内容物を収納する容器であって、
容器本体の上面部に内容物を注入する開口部を設けるとともに、容器本体の上面部と側面部とを切り取るように設けた斜面部分に、当該内容物を注ぎ出すための開口部を備えることを特徴とする塗料などの容器。
【請求項４】
塗料などの液状の内容物を収納する容器であって、
直方体の容器本体の上面部に塗料などの内容物を注入する開口部を設けるとともに、
当該直方体の容器本体の上面部の一つの角部分を下向きに切り落とすように形成した側壁部分から外側になだらかに形成した斜面部分に、当該内容物を注ぎ出すための開口部を備えることを特徴とする塗料などの容器。
【考案の詳細な説明】
【技術分野】
【０００１】
本考案は、塗料などを収納する容器に関する。
【背景技術】
【０００２】
従来より、塗料などを収納する各種の容器が考案されている。例えば、特許文献１に記載の塗料収納容器は、刷毛のブラシ部に付着した塗料を開口部の周縁を汚すことなく拭くことができるようにしたものである。また特許文献２に記載の塗料缶装置は、同様に刷毛や筆の付着塗料の量調整を行い、缶の周囲が汚れにくい塗料缶装置を提供するものである。さらに、特許文献３には、塗料などを滑らかに注ぎ出し分けることができ、容器内の塗料などを攪拌するための攪拌棒を軽快に操作でき処理が簡単な容器が開示されている。
【特許文献１】特開平５−３０１５００号公報
【特許文献２】特開２００４−７５１４５号公報
【特許文献３】特開平７−２３２７４０号公報
【考案の開示】
【考案が解決しようとする課題】
【０００３】
上述の特許文献１や２に開示された容器では刷毛が汚れにくいようにすることはできるが、これは容器そのものを使って直接刷毛で塗料を扱う場合のものである。容器から別の容器に塗料などを取り出して混ぜ合わせることを考慮していない。特許文献３に記載のものは、容器の内容物を注ぎ出すことを前提として考案されているが、上面部に開口部を持つため、塗料などの内容物を注ぎ出したときに上面や側面が汚れるという問題があった。
【０００４】
また、上面に注ぎ出し口を持つため、内容物の全てを注ぎ出すことができなかった。図４（ａ）は、従来の塗料などの容器の典型的な例を示す。上面部５１に開口部５３が開けられ蓋５２が付けられている。蓋５２を取って容器全体を傾け、開口部５３から内容物である塗料などを注ぎ出す。図４（ｂ）は、内容物を全て注ぎ出した状態を示す。上面部５１に開口部５３が設けられているため、内容物が５４に示すように若干残ってしまうという問題がある。
【０００５】
この考案は、簡単な構成で、塗料などの内容物を上面や側面を汚すことなく、また内容物の全てを完全に注ぎ出すことができるような、塗料などの容器を提供することを目的とする。
【課題を解決するための手段】
【０００６】
上記の目的を達成するため、請求項１に係る考案は、塗料などの液状の内容物を収納する容器であって、容器本体の上面部に内容物を注入する開口部を設けるとともに、本体の側面部の上方に、当該内容物を注ぎ出すための開口部を備えることを特徴とする。
【０００７】
請求項２に係る考案は、請求項１に記載の塗料などの容器において、前記本体の側面部に設けられた開口部は、斜め上方に向かって開口しているものであることを特徴とする。
【０００８】
請求項３に係る考案は、塗料などの液状の内容物を収納する容器であって、容器本体の上面部に内容物を注入する開口部を設けるとともに、容器本体の上面部と側面部とを切り取るように設けた斜面部分に、当該内容物を注ぎ出すための開口部を備えることを特徴とする。
【０００９】
請求項４に係る考案は、塗料などの液状の内容物を収納する容器であって、直方体の容器本体の上面部に塗料などの内容物を注入する開口部を設けるとともに、当該直方体の容器本体の上面部の一つの角部分を下向きに切り落とすように形成した側壁部分から外側になだらかに形成した斜面部分に、当該内容物を注ぎ出すための開口部を備えることを特徴とする。
【考案の効果】
【００１０】
本考案によれば、簡単な構成で、容器本体の上面部や側面部を汚すことなく塗料などの内容物を注ぎ出すことができる。また、側面に注ぎ出し口を設けているので、内容物を中に残すことなく、全て完全に注ぎ出すことができる。
【考案を実施するための最良の形態】
【００１１】
以下、本考案を実施する一形態例を説明する。
【００１２】
図１（ａ）は、本考案の一実施形態に係る容器の斜視図である。図１（ｂ）は、図１（ａ）の容器の側面の蓋を取り去った状態を示す斜視図である。これらの図において、１０は容器の本体、１１は容器１０の上面部、１２は上面部１１に開けられた塗料などを注入するための開口部、１３は開口部１２の蓋、１４は本体１０の側面部、１５は側面部１４に開けられた塗料などを注ぎ出すための開口部、１６は開口部１５の外側に構成されたねじ切り部分、１７は開口部１５の蓋を示す。
【００１３】
図２（ａ）は、図１に示した容器の側面部１４に設けられた開口部１５の断面を示す。塗料などの内容物は上面の開口部１２から注入されて販売される。塗料などを取り出して使用する場合、側面部の蓋１７を取り、側面の開口部１５から塗料などを注ぎ出し、別の容器に入れて混合などをした後に使用する。側面部１４に開口部１５が設けられているので、塗料などを注ぎ出すときに上面部や側面部が汚れることがない。また側面から塗料を注ぎ出すので、図４（ｂ）で説明したように容器内に内容物が残ることが無く、完全に内容物を注ぎ出すことができる。
【００１４】
図２（ｂ）は、上述した容器の変形例を示す（図２（ａ）と同様の側面の開口部の断面図である）。この例では、開口部１５およびねじ部１６が容器の斜め上方に向くように構成している。図２（ｃ）は、開口部１５に蓋１７を付けた様子を示す。このように斜め上方を向くように開口部１５を設けることにより、内容物を開口部１５から注ぎ出す際の容器側面の汚れ方をさらに減少させることができる。
【００１５】
図３（ａ）は、容器本体が直方体の容器に本発明を適用した例を示す。３０は容器本体、３１はその上面部に開けられた開口部、３２は開口部３１の蓋、３３は本体３０の上面部の１つの角部分を切り落とした形で構成した斜面である。斜面３３に開口部を設け蓋３４を取り付けている。これにより塗料などを注入するときは上面の開口部３１を利用し、注ぎ出すときは蓋３４を外して斜面３３に設けられた開口部から注ぎ出すことができる。斜面３３に設けられた開口部から注ぎ出すことにより、本体の上面や側面を汚すことがない。
【００１６】
図３（ｂ）は、本考案に係る容器の別の実施形態である。３５は容器本体、３６はその上面部に設けられた開口部、３７は開口部３６の蓋、３８は容器本体の上面の１つの角部分を下向きに切り落とすように形成した側壁部分、３９はその側壁部分３８から外側になだらかに形成した斜面部分である。図３（ｃ）は、図３（ｂ）の側壁部分３８と斜面部分３９の断面図（一点鎖線Ａから矢印Ｂ方向の断面）である。４０は斜面部分３９に空けられた開口部、４１は開口部４０の蓋を示す。斜面部分３９は、図３（ｂ）から分かるように水平面に対して若干の角度を付けてあるので、開口部４０から内容物を容易に注ぎ出すことができる。また、注ぎ出す際に、本体の上面や側面を汚すことがない。
【００１７】
なお、上記実施形態およびその変形例において、開口部に付ける蓋は、ねじ式あるいははめ込み式のどちらでも良い。また、容器を構成する材質はどのようなものでも良い。
【図面の簡単な説明】
【００１８】
【図１】本考案の一実施形態に係る容器の斜視図
【図２】側面部に設けられた開口部の断面図
【図３】本体が直方体の容器の例を示す斜視図
【図４】従来の容器の斜視図および断面図
【符号の説明】
【００１９】
１０…容器の本体、１１…上面部、１２…開口部、１３…蓋、１４…側面部、１５…開口部、１６…ねじ切り部分、１７…蓋。
【図１】
0003110981.tif 000003
【図２】
0003110981.tif 000004
【図３】
0003110981.tif 000005
【図４】
0003110981.tif 000006